(57)【要約】【課題】無線受信信号および無線送信信号のデータ量を低減して伝送ネットワークで伝送する。【解決手段】伝送送信装置１１０においては、Ａ／Ｄ変換回路３から出力される無線受信信号をフレーム化し、フレーム化した信号をＦＦＴ回路５によりフーリエ変換し、各周波数成分の信号を生成する。そして、量子化回路６では、各周波数成分の信号を量子化ビット数を調整して量子化し、この量子化データと、各周波数成分毎の量子化ビット数の情報を含む量子化情報を、有線伝送路９に送信する。また、伝送受信装置２１０の逆量子化回路１２は、伝送送信装置１１０から送られた量子化データと量子化情報とを受信し、量子化データを逆量子化する。逆量子化された信号は、逆フーリエ変換回路１３により逆フーリエ変換され、さらにフレーム解除回路１４によりフレームが解除されデジタル信号が再生される。【選択図】図１
2008060980.tif 000002
【特許請求の範囲】
【請求項１】
無線信号受信回路からＡ／Ｄ変換された無線受信信号、または無線信号変調回路からデジタル変調された無線送信信号を入力し、フレーム化して伝送ネットワークに送信する伝送送信装置において、
前記無線受信信号または無線送信信号をフレーム化するためのフレーム化回路と、
前記フレーム化回路によりフレーム化された信号をフーリエ変換するＦＦＴ回路と、
前記ＦＦＴ回路によりフーリエ変換された信号の各周波数成分の量子化ビット数を調整して量子化する量子化回路と、
前記量子化回路により生成された量子化データを、各周波数成分の量子化ビット数の情報を含む量子化情報と共に前記伝送ネットワークに送信する伝送処理回路と、
を備えることを特徴とする伝送送信装置。
【請求項２】
前記量子化回路において、前記無線受信信号または無線送信信号の信号帯域以外の周波数成分の量子化ビット数を０とするように構成されたこと
を特徴とする請求項１に記載の伝送送信装置。
【請求項３】
前記量子化回路において、前記無線受信信号または無線送信信号の各周波数成分の信号レベルに基づいて量子化ビット数を設定すること
を特徴とする請求項１または請求項２に記載の伝送送信装置。
【請求項４】
前記量子化回路に信号の周波数成分の電力を測定する電力測定回路を設けると共に、
前記量子化回路は、前記電力測定回路により得られた電力情報に基づいて量子化情報に含まれる量子化間隔を設定し、入力信号を量子化するように構成されたこと
を特徴とする請求項１から３のいずれかに記載の伝送送信装置。
【請求項５】
前記無線信号変調回路から、Ｍチャネル（Ｍ≧２）の無線送信信号に対してチャネルごとに変調操作を行なったＭ個のデジタル信号を入力し、各信号をそれぞれフレーム化するＭ個のフレーム化回路と、
前記のフレーム化回路でフレーム化された信号のそれぞれをフーリエ変換するＭ個のＦＦＴ回路と、
前記ＦＦＴ回路でフーリエ変換された信号のそれぞれを量子化するＭ個の量子化回路と、
前記量子化されたＭチャネルの信号を周波数軸上に配置し多重化して前記伝送ネットワークに送信する伝送処理回路と、
を備えることを特徴とする請求項１から４のいずれかに記載の伝送送信装置。
【請求項６】
伝送ネットワークからフレーム化および各周波数成分ごとに量子化された無線受信信号または無線送信信号を受信し、フレーム解除したデジタル信号を無線信号復調回路または無線信号送信回路に出力する伝送受信装置において、
前記伝送ネットワークから無線受信信号または無線送信信号の量子化データと、該量子化データの各周波数成分毎の量子化ビット数及び量子化間隔の情報を含む量子化情報とを受信する伝送処理回路と、
前記伝送処理回路により受信した量子化データを、前記量子化情報を基に逆量子化を行う逆量子化回路と、
前記逆量子化回路により逆量子化された信号を逆フーリエ変換する逆フーリエ変換回路と、
前記逆フーリエ変換された信号をフレーム解除し、該フレーム解除されたデジタル信号を前記無線信号復調回路または無線信号送信回路に出力するフレーム化解除回路と、
を備えることを特徴とする伝送受信装置。
【請求項７】
前記伝送ネットワークから、Ｍチャネル（Ｍ≧２）の無線受信信号を一括してフーリエ変換し、量子化された量子化データを受信した場合に、
前記量子化データを量子化情報に基づいて、周波数軸上で各チャネルの信号の再配置を行なった後に逆量子化を行う逆量子化回路と、
前記逆量子化回路により逆量子化された後に、前記逆フーリエ変換回路により逆フーリエ変換された信号のフレームを解除し、該フレーム解除されたデジタル信号を前記無線信号復調回路に出力するフレーム解除回路と、
を備えることを特徴とする請求項６に記載の伝送受信装置。
【請求項８】
前記伝送ネットワークから、Ｍチャネル（Ｍ≧２）の無線送信信号を一括してフーリエ変換し、量子化された量子化データを受信した場合に、
前記量子化データを量子化情報に基づいて、周波数軸上で各チャネルの信号の再配置を行なった後に逆量子化を行う逆量子化回路と、
前記逆量子化回路により逆量子化された後に、前記逆フーリエ変換回路により逆フーリエ変換された信号のフレームを解除し、該フレーム解除されたデジタル信号を前記無線信号送信回路に出力するフレーム解除回路と、
を備えることを特徴とする請求項６に記載の伝送受信装置。
【請求項９】
前記伝送ネットワークから受信した信号が、Ｍチャネル（Ｍ≧２）の無線受信信号を一括してフーリエ変換し、量子化された量子化データである場合に、
前記量子化データを逆量子化する前にチャネル分離するチャネル分離回路と、
前記チャネル分離回路によりチャネルごとに信号を分離した後、各搬送波周波数が０になるように周波数軸上に配置することにより、チャネル毎に逆量子化を行うＭ個の逆量子化回路と、
前記Ｍ個の逆量子化回路により逆量子化された信号のそれぞれを逆フーリエ変換するＭ個の逆フーリエ変換回路と、
前記Ｍ個の逆フーリエ変換された信号のそれぞれをフレーム解除し、該フレーム解除されたデジタル信号を前記無線信号復調回路に出力するＭ個のフレーム解除回路と、
を備えることを特徴とする請求項６に記載の伝送受信装置。
【請求項１０】
前記伝送ネットワークから受信した信号が、Ｍチャネル（Ｍ≧２）の無線送信信号に対してチャネルごとに変調操作が行われ、それぞれがフレーム化され、フーリエ変換され、量子化された後に多重化して伝送されたものである場合に、
前記受信信号中のＭチャネルの信号を周波数軸上に配置し逆量子化を行なう逆量子化回路と、
前記逆量子化回路で逆量子化された信号を一括して逆フーリエ変換を行う逆フーリエ変換回路と、
前記逆フーリエ変換された信号をフレーム解除し、該フレーム解除されたデジタル信号を前記無線信号送信回路に出力するフレーム解除回路と、
を備えることを特徴とする請求項６に記載の伝送受信装置。
【請求項１１】
無線信号受信回路からＡ／Ｄ変換された無線受信信号、または無線信号変調回路からデジタル変調された無線送信信号を入力し、フレーム化して伝送ネットワークに送信する伝送送信装置における伝送信号送信方法であって、
前記無線受信信号または無線送信信号をフレーム化するためのフレーム化手順と、
前記フレーム化手順によりフレーム化された信号をフーリエ変換するＦＦＴ手順と、
前記ＦＦＴ手順によりフーリエ変換された信号の各周波数成分の量子化ビット数を調整して量子化する量子化手順と、
前記量子化手順により生成された量子化データを、各周波数成分の量子化ビット数及び量子化間隔の情報を含む量子化情報と共に前記伝送ネットワークに送信する伝送処理手順と、
を含むことを特徴とする伝送信号送信方法。
【請求項１２】
伝送ネットワークからフレーム化および各周波数成分ごとに量子化された無線受信信号または無線送信信号を受信し、フレーム解除したデジタル信号を無線信号復調回路または無線信号送信回路に出力する伝送受信装置における伝送信号受信方法であって、
前記伝送ネットワークから無線受信信号または無線送信信号の量子化データと、該量子化データの各周波数成分毎の量子化ビット数及び量子化間隔の情報を含む量子化情報とを受信する伝送処理手順と、
前記伝送処理手順により受信した量子化データを、前記量子化情報を基に逆量子化を行う逆量子化手順と、
前記逆量子化手順により逆量子化された信号を逆フーリエ変換する逆フーリエ変換手順と、
前記逆フーリエ変換された信号をフレーム解除し、該フレーム解除されたデジタル信号を前記無線信号復調回路または無線信号送信回路に出力するフレーム化解除手順と、
を含むことを特徴とする伝送信号受信方法。
【発明の詳細な説明】
【技術分野】
【０００１】
本発明は、無線受信信号および無線送信信号のデータ量を低減して伝送ネットワークで伝送することができる、伝送送信装置、伝送受信装置、伝送信号送信方法、および伝送信号受信方法に関する。
【背景技術】
【０００２】
複数の無線局を要するシステムを効率的に構成するため、特許文献１に示されているような、親局装置においてデータを一括して変調し、変調信号を無線信号伝送装置により各無線局に伝送して無線信号として送信し、子局装置が受信した無線信号を無線信号伝送装置により親局装置に伝送して、データを一括して復調するものがある。
【０００３】
無線信号伝送装置及び無線装置として、例えば、図１９に示す従来例の子局装置２−１は、アンテナ２−４と、入力増幅器２−５と、周波数変換回路（ダウンコンバータ）２−６と、Ａ／Ｄ変換回路２−７と、伝送フレーム生成回路２−８と、光送信回路２−９と、出力増幅器２−１０と、周波数変換回路（アップコンバータ）２−１１と、Ｄ／Ａ変換回路２−１２と、伝送フレーム分解回路２−１３と、光受信回路２−１４を有して構成されている。
【０００４】
そして、子局装置２−１において、アンテナ２−４で受信した無線信号を上りの光信号に変換して、親局２−２に転送すると共に、親局２−２から送信された下りの光信号を無線信号に変換して、アンテナ２−４から送信する機能をもつものである。ここで、上り方向は子局から親局への信号の流れ方向を示し、下り方向は親局から子局への信号の流れる方向を示している。入力増幅器２−５は、アンテナ２−４により受信された無線信号を増幅し、周波数変換回路２−６（ダウンコンバータ）へ出力する。そして、周波数変換回路２−６は、上記増幅された無線信号が使用するスペクトル帯域を選択し、選択された全帯域を次段の処理に適した中間周波数帯、もしくはベースバンド帯に周波数変換する。Ａ／Ｄ変換回路２−７は、周波数変換後の無線信号を、その全帯域において一括してデジタル信号に変換する。
【０００５】
このとき、Ａ／Ｄ変換回路２−７は、Ａ／Ｄ変換前のアナログ信号の段階において、周波数変換された無線信号から、変換回路のナイキスト帯域幅を超える周波数の信号成分を除去、すなわち、サンプリング不能の周波数成分を除去するフィルタリングを行う。伝送フレーム生成回路２−８は、Ａ／Ｄ変換後のデジタル信号を、子局装置２−１と親局装置２−２との間における光通信プロトコルに合わせ、伝送フレーム上へのマッピング、及び伝送路符号化が行われる。そして、光送信回路２−９は、上記デジタル信号を光信号に変換し、この光信号は、光伝送路２−３を介して、親局装置２−２へ転送される（送信される）。
【０００６】
また、光受信回路２−１４は、上記光伝送路２−３を介して、親局装置２−２から転送（送信）された下りの光信号を光電気変換し、すなわち、光信号をデジタル信号の伝送フレームに変換する。そして、伝送フレーム分解回路２−１３は、上記伝送フレームから所要のデジタル主信号を抽出して取り出す。また、Ｄ／Ａ変換回路２−１２は、上記抽出されたデジタル主信号を、アナログ信号へと変換する。このとき、Ｄ／Ａ変換回路２−１２は、アナログ信号へ変換した後、このアナログ信号から、無線信号として所要の帯域幅を超える周波数の信号成分を除去するフィルタリングを行う。周波数変換回路（アップコンバータ) ２−１１は、上述したように得られたアナログ信号を、無線送信周波数帯に周波数変換する。そして、出力増幅器２−１０によって所要の送信電力に増幅された後、アンテナ２−４から無線信号として送出（放射）される。以上のように、子局装置２−１は、アンテナ２−４を介して受信する無線信号の占有帯域を、デジタル信号に変換して、親局装置２−２へ、と光伝送するとともに、親局装置２−２から光伝送されたデジタル信号を、アナログ無線信号に変換して、アンテナ２−４から送信する機能を有している。
【０００７】
一方、親局装置２−２は、光受信回路２−１５と、光送信回路２−１６と、伝送制御回路２−１７と、信号処理回路２−１８と、伝送路インタフェース回路２−１９を有して構成され、光伝送路２−３を介して子局装置２−１との間で送受信する信号を終端し、使用する無線プロトコルの処理に応じた伝送制御、信号処理、プロトコル終端を行い、かつ、伝送路２−２１を介して移動体交換機２−２０との間の通信を実現するものである。
【０００８】
光受信回路２−１５は、光伝送路２−３を介して、子局装置２−１から転送された上りの光信号を光電気変換して、デジタル信号を出力する。伝送制御回路２−１７は、上記デジタル信号からなる伝送フレームを分解して、デジタル主信号を抽出し取り出す。また、伝送制御回路２−１７は、親局装置２−２から子局装置２−１への下り光信号となる伝送フレームを生成する。光送信回路２−１６は、上記伝送フレームのデジタル信号を、光信号に変換して、下り光信号として子局装置２−１へ伝送（送信）される。伝送制御回路２−１７においては、以上のような伝送フレームの生成／分解を行うと共に、伝送路の網同期、及び光伝送路２−３の試験や監視、子局装置２−１の設定、管理等の制御機能が必要に応じて搭載される。信号処理回路２−１８は、上記伝送制御回路２−１７に接続される子局装置２−１との間で通信される主信号（伝送フレームに含まれる）を、デジタル信号のまま、使用する無線方式やプロトコルに応じた信号の復調、符号化／複号化、誤り検出／訂正、回線の終端／多重分離等の信号処理を行う。伝送路インタフェース回路２−１９は、上記信号処理回路２−１８に接続され、また、伝送路２−２１を介して移動体交換機２−２０に接続され、信号処理回路２−１８と、移動体交換機２−２０との間での信号の受け渡しを行うインタフェース機能を有する。
【特許文献１】特開２００４−３１２１５０号公報
【発明の開示】
【発明が解決しようとする課題】
【０００９】
無線装置のデジタル変復調回路は、性能の劣化を防止するため、無線信号の周波数帯域から、必要となる帯域以上のデジタル信号量を用いて変復調処理を行っている。このため、従来の無線信号伝送装置は、多量のデジタル信号を伝送する必要があった。
【００１０】
本発明は、上記課題を解決するためになされたものであり、その目的は、無線信号送受信回路から伝送ネットワークを介して無線変復調回路に送られる無線受信信号と、無線変復調回路から伝送ネットワークを介して無線信号送受信回路に送られる無線送信信号とを、伝送データ量を低減して伝送ネットワークで伝送することができる、伝送送信装置、伝送受信装置、伝送信号送信方法、および伝送信号受信方法を提供することにある。
【課題を解決するための手段】
【００１１】
本発明は、上記課題を解決するためになされたものであり、本発明の伝送送信装置は、無線信号受信回路からＡ／Ｄ変換された無線受信信号、または無線信号変調回路からデジタル変調された無線送信信号を入力し、フレーム化して伝送ネットワークに送信する伝送送信装置において、前記無線受信信号または無線送信信号をフレーム化するためのフレーム化回路と、前記フレーム化回路によりフレーム化された信号をフーリエ変換するＦＦＴ回路と、前記ＦＦＴ回路によりフーリエ変換された信号の各周波数成分の量子化ビット数を調整して量子化する量子化回路と、前記量子化回路により生成された量子化データを、各周波数成分の量子化ビット数の情報を含む量子化情報と共に前記伝送ネットワークに送信する伝送処理回路と、を備えることを特徴とする。
【００１２】
また、本発明の伝送送信装置は、前記量子化回路において、前記無線受信信号または無線送信信号の信号帯域以外の周波数成分の量子化ビット数を０とするように構成されたことを特徴とする。
【００１３】
また、本発明の伝送送信装置は、前記量子化回路において、前記無線受信信号または無線送信信号の各周波数成分の信号レベルに基づいて量子化ビット数を設定することを特徴とする。
【００１４】
また、本発明の伝送送信装置は、前記量子化回路に信号の周波数成分の電力を測定する電力測定回路を設けると共に、前記量子化回路は、前記電力測定回路により得られた電力情報に基づいて量子化情報に含まれる量子化間隔を設定し、入力信号を量子化するように構成されたことを特徴とする。
【００１５】
また、本発明の伝送送信装置は、前記無線信号変調回路から、Ｍチャネル（Ｍ≧２）の無線送信信号に対してチャネルごとに変調操作を行なったＭ個のデジタル信号を入力し、各信号をそれぞれフレーム化するＭ個のフレーム化回路と、前記のフレーム化回路でフレーム化された信号のそれぞれをフーリエ変換するＭ個のＦＦＴ回路と、前記ＦＦＴ回路でフーリエ変換された信号のそれぞれを量子化するＭ個の量子化回路と、前記量子化されたＭチャネルの信号を周波数軸上に配置し多重化して前記伝送ネットワークに送信する伝送処理回路と、を備えることを特徴とする。
【００１６】
また、本発明の伝送受信装置は、伝送ネットワークからフレーム化および各周波数成分ごとに量子化された無線受信信号または無線送信信号を受信し、フレーム解除したデジタル信号を無線信号復調回路または無線信号送信回路に出力する伝送受信装置において、前記伝送ネットワークから無線受信信号または無線送信信号の量子化データと、該量子化データの各周波数成分毎の量子化ビット数及び量子化間隔の情報を含む量子化情報とを受信する伝送処理回路と、前記伝送処理回路により受信した量子化データを、前記量子化情報を基に逆量子化を行う逆量子化回路と、前記逆量子化回路により逆量子化された信号を逆フーリエ変換する逆フーリエ変換回路と、前記逆フーリエ変換された信号をフレーム解除し、該フレーム解除されたデジタル信号を前記無線信号復調回路または無線信号送信回路に出力するフレーム化解除回路と、を備えることを特徴とする。
【００１７】
また、本発明の伝送受信装置は、前記伝送ネットワークから、Ｍチャネル（Ｍ≧２）の無線受信信号を一括してフーリエ変換し、量子化された量子化データを受信した場合に、前記量子化データを量子化情報に基づいて、周波数軸上で各チャネルの信号の再配置を行なった後に逆量子化を行う逆量子化回路と、前記逆量子化回路により逆量子化された後に、前記逆フーリエ変換回路により逆フーリエ変換された信号のフレームを解除し、該フレーム解除されたデジタル信号を前記無線信号復調回路に出力するフレーム解除回路と、を備えることを特徴とする。
【００１８】
また、本発明の伝送受信装置は、前記伝送ネットワークから、Ｍチャネル（Ｍ≧２）の無線送信信号を一括してフーリエ変換し、量子化された量子化データを受信した場合に、前記量子化データを量子化情報に基づいて、周波数軸上で各チャネルの信号の再配置を行なった後に逆量子化を行う逆量子化回路と、前記逆量子化回路により逆量子化された後に、前記逆フーリエ変換回路により逆フーリエ変換された信号のフレームを解除し、該フレーム解除されたデジタル信号を前記無線信号送信回路に出力するフレーム解除回路と、を備えることを特徴とする。
【００１９】
また、本発明の伝送受信装置は、前記伝送ネットワークから受信した信号が、Ｍチャネル（Ｍ≧２）の無線受信信号を一括してフーリエ変換し、量子化された量子化データである場合に、前記量子化データを逆量子化する前にチャネル分離するチャネル分離回路と、前記チャネル分離回路によりチャネルごとに信号を分離した後、各搬送波周波数が０になるように周波数軸上に配置することにより、チャネル毎に逆量子化を行うＭ個の逆量子化回路と、前記Ｍ個の逆量子化回路により逆量子化された信号のそれぞれを逆フーリエ変換するＭ個の逆フーリエ変換回路と、前記Ｍ個の逆フーリエ変換された信号のそれぞれをフレーム解除し、該フレーム解除されたデジタル信号を前記無線信号復調回路に出力するＭ個のフレーム解除回路と、を備えることを特徴とする。
【００２０】
また、本発明の伝送受信装置は、前記伝送ネットワークから受信した信号が、Ｍチャネル（Ｍ≧２）の無線送信信号に対してチャネルごとに変調操作が行われ、それぞれがフレーム化され、フーリエ変換され、量子化された後に多重化して伝送されたものである場合に、前記受信信号中のＭチャネルの信号を周波数軸上に配置し逆量子化を行なう逆量子化回路と、前記逆量子化回路で逆量子化された信号を一括して逆フーリエ変換を行う逆フーリエ変換回路と、前記逆フーリエ変換された信号をフレーム解除し、該フレーム解除されたデジタル信号を前記無線信号送信回路に出力するフレーム解除回路と、を備えることを特徴とする。
【００２１】
また、本発明の伝送信号送信方法は、無線信号受信回路からＡ／Ｄ変換された無線受信信号、または無線信号変調回路からデジタル変調された無線送信信号を入力し、フレーム化して伝送ネットワークに送信する伝送送信装置における伝送信号送信方法であって、前記無線受信信号または無線送信信号をフレーム化するためのフレーム化手順と、前記フレーム化手順によりフレーム化された信号をフーリエ変換するＦＦＴ手順と、前記ＦＦＴ手順によりフーリエ変換された信号の各周波数成分の量子化ビット数を調整して量子化する量子化手順と、前記量子化手順により生成された量子化データを、各周波数成分の量子化ビット数及び量子化間隔の情報を含む量子化情報と共に前記伝送ネットワークに送信する伝送処理手順と、を含むことを特徴とする。
【００２２】
また、本発明の伝送信号受信方法は、伝送ネットワークからフレーム化および各周波数成分ごとに量子化された無線受信信号または無線送信信号を受信し、フレーム解除したデジタル信号を無線信号復調回路または無線信号送信回路に出力する伝送受信装置における伝送信号受信方法であって、前記伝送ネットワークから無線受信信号または無線送信信号の量子化データと、該量子化データの各周波数成分毎の量子化ビット数及び量子化間隔の情報を含む量子化情報とを受信する伝送処理手順と、前記伝送処理手順により受信した量子化データを、前記量子化情報を基に逆量子化を行う逆量子化手順と、前記逆量子化手順により逆量子化された信号を逆フーリエ変換する逆フーリエ変換手順と、前記逆フーリエ変換された信号をフレーム解除し、該フレーム解除されたデジタル信号を前記無線信号復調回路または無線信号送信回路に出力するフレーム化解除手順と、を含むことを特徴とする。
【発明の効果】
【００２３】
本発明の伝送送信装置においては、無線信号受信回路から出力される無線受信信号、または無線信号変調回路から出力される無線送信信号を、フーリエ変換により周波数成分信号に変換し、量子化回路により、各周波数成分毎に量子化ビット数を調整して量子化するようにしたので、これにより、伝送ネットワークにおける伝送データ量を低減することが可能になる。
【００２４】
本発明の伝送送信装置においては、量子化回路において、信号帯域以外の成分の量子化ビット数を０とする。例えば、フィルタで遮断された周波数成分の量子化ビット数を０とし、送信フィルタ及び受信フィルタの通過周波数成分信号のみを選択するようにしたので、これにより、伝送ネットワークにおける伝送データ量を低減することが可能になる。
【００２５】
本発明の伝送送信装置においては、量子化回路において、各周波数成分の信号レベル（例えば、フィルタの周波数特性）に合わせて量子化ビット数を決定するようにしたので、これにより、伝送ネットワークにおける伝送データ量を低減することが可能になる。
【００２６】
本発明の伝送送信装置においては、電力測定回路において測定した無線信号の電力に合わせて量子化回路における量子化間隔を決定するようにしたので、これにより、無線信号の受信電力によらず一定の品質で量子化を行うことが可能となる。
【００２７】
本発明の伝送送信装置においては、無線信号変調回路から、Ｍチャネル（Ｍ≧２）の無線送信信号に対してチャネルごとに変調操作を行なったＭ個のデジタル信号を受信し、それぞれの信号に対し、フレーム化と、フーリエ変換と、量子化を行い、量子化されたＭチャネルの信号を周波数軸上に配置し多重化して伝送ネットワークに送信するようにしたので、これにより、各チャネル毎に変調回路を独立させることができると共に、多重化された信号に対しても、伝送データ量を低減することが可能になる。
【００２８】
本発明の伝送受信装置においては、伝送ネットワークから量子化された無線受信信号または無線送信信号を受信し、受信した量子化データを、量子化情報を基に逆量子化を行い、また、逆量子化された信号を逆フーリエ変換し、逆フーリエ変換した信号をフレーム解除し、該フレーム解除したデジタル信号を無線信号復調回路または無線信号送信回路に出力するようにしたので、これにより、量子化データによる受信が可能になり、伝送ネットワークにおける伝送データ量を低減することが可能になる。
【００２９】
本発明の伝送受信装置においては、伝送ネットワークから、Ｍチャネル（Ｍ≧２）の無線受信信号を一括してフーリエ変換し、量子化された量子化データを受信した場合に、量子化データを量子化情報に基づいて、周波数軸上での各チャネルの信号の再配置を行なった後に逆量子化を行い、逆フーリエ変換してフレーム解除し、該フレーム解除したデジタル信号を無線信号復調回路に送信するようにしたので、これにより、伝送ネットワークにおける伝送データ量を低減する効果に加えて、無線受信信号の搬送波周波数を自由に配置することが可能になる。
【００３０】
本発明の伝送受信装置においては、伝送ネットワークから、Ｍチャネル（Ｍ≧２）の無線送信信号を一括してフーリエ変換し、量子化された量子化データを受信した場合に、量子化データを量子化情報に基づいて、周波数軸上での信号の再配置を行なった後に逆量子化を行い、逆フーリエ変換してフレーム解除し、該フレーム解除したデジタル信号を無線信号送信回路に送信するようにしたので、これにより、伝送ネットワークにおける伝送データ量を低減する効果に加えて、無線送信信号の搬送波周波数を自由に配置することが可能になる。
【００３１】
本発明の伝送受信装置においては、伝送ネットワークから受信した信号が、Ｍチャネル（Ｍ≧２）の無線受信信号を一括してフーリエ変換し、量子化された量子化データである場合に、量子化データを逆量子化する前にチャネル分離し、各搬送波周波数が０となるよう配置することにより、チャネル毎に逆量子化を行い、逆量子化された信号のそれぞれを逆フーリエ変換し、逆フーリエ変換された信号のそれぞれをフレーム解除し、該フレーム解除したデジタル信号のそれぞれを無線信号復調回路に送信するようにしたので、これにより、伝送ネットワークにおける伝送データ量を低減する効果に加えて、フレーム解除回路から各チャネルの直交したベースバンド信号が出力されるため、無線信号復調回路におけるチャネル分離フィルタ回路と直交復調回路が不要となる。
【００３２】
本発明の伝送受信装置においては、伝送ネットワークから受信した信号が、Ｍチャネル（Ｍ≧２）の無線送信信号に対してチャネルごとに変調操作が行われ、それぞれがフレーム化され、フーリエ変換され、量子化された後に多重化して伝送されたものである場合に、受信信号中のＭチャネルの信号を周波数軸上に配置して逆量子化を行い、逆量子化の後に一括して逆フーリエ変換を行い、逆フーリエ変換した信号をフレーム解除し、該フレーム解除したデジタル信号を無線信号送信回路に送信するようにしたので、これにより、伝送ネットワークにおける伝送データ量を低減する効果に加えて、無線送信信号を送信する無線信号変調回路側では、各チャネル毎に変調回路を独立させることができる。
【００３３】
本発明の伝送信号送信方法においては、無線信号受信回路から出力される無線受信信号、または無線信号変調回路から出力される無線送信信号を、フーリエ変換により周波数成分信号に変換し、量子化回路により、各周波数成分毎に量子化ビット数を調整して量子化するようにしたので、これにより、伝送ネットワークにおける伝送データ量を低減することが可能になる。
【００３４】
本発明の伝送信号受信方法においては、伝送ネットワークから量子化された無線受信信号または無線送信信号を受信し、受信した量子化データを、量子化情報を基に逆量子化を行い、また、逆量子化された信号を逆フーリエ変換し、逆フーリエ変換された信号をフレーム解除し、該フレーム解除したデジタル信号を無線信号復調回路または無線信号送信回路に出力するようにしたので、これにより、量子化データの送受信が可能になり、伝送ネットワークにおける伝送データ量を低減することが可能になる。
【発明を実施するための最良の形態】
【００３５】
［第１の実施の形態］
図１は、本発明の第１の実施の形態の構成例を示す図であり、本発明の伝送送信装置と伝送受信装置を用いた、無線信号伝送装置及び無線装置の構成例を示す図である。
【００３６】
図１に示す無線信号伝送装置及び無線装置は、無線信号送受信回路５０と、無線信号伝送装置１００と、有線伝送路（伝送ネットワーク）９、２５と、無線信号伝送装置２００と、無線変復調回路６０とで構成されている。また、図中の破線で示す矢付線Ａは、無線受信信号の流れを示しており、無線受信信号は、無線信号送受信回路５０で受信され、無線変復調回路６０に向けて送られる。また、図中の破線で示す矢付線Ｂは、無線送信信号の流れを示しており、無線送信信号は、無線変復調回路６０から無線信号送受信回路５０に向けて送られる。
【００３７】
無線信号送受信回路５０は、空中線１、周波数変換回路２、Ａ／Ｄ変換回路３、Ｄ／Ａ変換回路２９、周波数変換回路３０、空中線３１で構成されている。無線信号伝送装置１００は、フレーム化回路４、ＦＦＴ（フーリエ変換）回路５、量子化回路６、伝送処理回路８、逆量子化回路２６、ＩＦＦＴ（逆フーリエ変換）回路２７、フレーム解除回路２８で構成されている。無線信号伝送装置２００は、伝送処理回路１０、逆量子化回路１２、ＩＦＦＴ回路１３、フレーム解除回路１４、フレーム化回路２２、ＦＦＴ回路２３、量子化回路２４で構成されている。無線変復調回路６０は、復調回路（無線信号復調回路）１５、変調回路（無線信号変調回路）２１で構成されている。
【００３８】
また、無線信号伝送装置１００内の伝送送信装置１１０は、フレーム化回路４、ＦＦＴ回路５、量子化回路６、伝送処理回路８で構成され、伝送受信装置１２０は、伝送処理回路８、逆量子化回路２６、ＩＦＦＴ回路２７、フレーム解除回路２８で構成されている。なお、伝送処理回路８は、有線伝送路９、２５とのデータの送受信処理を行うための処理部であり、伝送送信装置１１０および伝送受信装置１２０で共通に使用される。
【００３９】
また、無線信号伝送装置２００内の伝送受信装置２１０は、伝送処理回路１０、逆量子化回路１２、ＩＦＦＴ回路１３、およびフレーム解除回路１４で構成され、伝送送信装置２２０は、フレーム化回路２２、ＦＦＴ回路２３、量子化回路２４、および伝送処理回路１０で構成されている。なお、伝送処理回路１０は、有線伝送路９、２５とのデータの送受信処理を行うための処理部であり、伝送受信装置２１０および伝送送信装置２２０で共通に使用される。
【００４０】
また、無線信号送受信回路５０内の無線信号受信回路５１は、周波数変換回路２、およびＡ／Ｄ変換回路３で構成され、無線信号送信回路５２は、Ｄ／Ａ変換回路２９、および周波数変換回路３０で構成される。また、無線変復調回路６０は、復調回路（無線信号復調回路）１５、および変調回路（無線信号変調回路）２１で構成される。
【００４１】
上記の各部により構成される無線信号伝送装置及び無線装置において、高周波アナログ信号である無線信号は、空中線１において受信され、空中線１の出力信号は、無線信号受信回路５１内の周波数変換回路２においてＡ／Ｄ変換回路３に入力可能な周波数に変換され、周波数変換回路２の出力信号は、Ａ／Ｄ変換回路３においてデジタル信号に変換される。
【００４２】
Ａ／Ｄ変換回路３の出力信号（無線受信信号）は、伝送送信装置１１０内のフレーム化回路４においてＦＦＴ回路５の入力信号に適したフレーム信号に変換される。このとき、フレーム信号の最初の信号は、前フレーム信号の最後から数サンプルの信号を重複することで性能劣化を防止することができる。
【００４３】
フレーム化回路４の出力信号は、ＦＦＴ回路５によりフーリエ変換され、ＦＦＴ回路５の出力信号は、量子化回路６により量子化され、量子化回路６の出力信号は、伝送処理回路８により伝送データ信号となる。また、伝送受信装置２１０内の逆量子化回路１２において必要となる各周波数成分毎の量子化ビット数の情報は量子化回路６より伝送処理回路８に入力され伝送データ信号となる。なお、各周波数成分毎の量子化ビット数の情報を「量子化情報」と呼ぶ。
【００４４】
伝送処理回路８の出力信号は、有線伝送路９を通り、伝送受信装置２１０内の伝送処理回路１０に入力される。伝送処理回路１０の出力信号は、逆量子化回路１２において逆量子化され、逆量子化回路１２の出力信号は、ＩＦＦＴ回路１３により逆フーリエ変換され、ＩＦＦＴ回路１３の出力信号は、フレーム解除回路１４によりフレームが解除される。このとき、フレーム信号の最初と最後の数サンプルの信号は歪んでいるため削除するが、フレーム化回路４において信号を重複しているため、信号の欠落は起らない。フレーム解除回路１４の出力信号は、無線変復調回路６０内の復調回路１５において復調され、復調回路１５は受信データ信号を出力する。
【００４５】
一方、デジタル信号である送信データ信号は無線変復調回路６０内の変調回路２１において、デジタル変調信号に変換され、変調回路２１の出力信号（無線送信信号）は、伝送送信装置２２０内のフレーム化回路２２においてＦＦＴ回路２３の入力信号に適したフレーム信号に変換される。このとき、フレーム信号の最初の信号は、前フレーム信号の最後から数サンプルの信号を重複することで性能劣化を防止することができる。
【００４６】
フレーム化回路２２の出力信号は、ＦＦＴ回路２３によりフーリエ変換され、ＦＦＴ回路２３の出力信号は、量子化回路２４により量子化され、量子化回路２４の出力信号は、伝送処理回路１０により伝送データ信号となる。また、伝送受信装置１２０内の逆量子化回路２６において必要となる周波数成分毎の量子化ビット数の情報は量子化回路２４より伝送処理回路１０に入力され、伝送データ信号となる。
【００４７】
伝送処理回路１０の出力信号は、有線伝送路２５を通り伝送処理回路８に入力される。伝送処理回路８の出力信号は、伝送受信装置１２０内の逆量子化回路２６において逆量子化され、逆量子化回路２６の出力信号は、ＩＦＦＴ回路２７により逆フーリエ変換され、ＩＦＦＴ回路２７の出力信号は、フレーム解除回路２８によりフレームが解除される。このとき、フレーム信号の最初と最後の数サンプルの信号は歪んでいるため削除するが、フレーム化回路２２において信号を重複しているため、信号の欠落は起らない。フレーム解除回路２８の出力信号は、無線信号送信回路５２内のＤ／Ａ変換回路２９においてアナログ信号に変換され、Ｄ／Ａ変換回路２９の出力信号は、周波数変換回路３０において高周波無線信号に変換され、周波数変換回路３０の出力信号は、空中線３１により送信される。
【００４８】
図２は、図１に示す伝送送信装置１１０内の量子化回路６、及び伝送送信装置２２０内の量子化回路２４の入力信号ビット数を示している。図３は、図１に示す量子化回路６及び量子化回路２４の出力信号ビット数を示している。
【００４９】
図３に示すように、量子化回路６及び量子化回路２４により、歪みが問題とならない範囲で周波数成分毎に量子化ビット数を調整して量子化することにより、伝送データ量を低減することが可能となる。例えば、図３に示すように、周波数成分に応じて、Ｎ１、Ｎ２、Ｎ３のように量子化ビット数を調整して量子化する。なお、歪みが問題とならない範囲は、実験等により決定される。
【００５０】
ここで、一般に無線信号は送信フィルタ及び受信フィルタにより周波数帯域を制限されているため、フィルタで遮断された周波数成分信号は不要となる。よって、図４に示すようにフィルタで遮断された周波数成分の量子化ビット数を０（ゼロ）とし、量子化回路６及び量子化回路２４において送信フィルタ及び受信フィルタの通過周波数成分信号のみを選択することにより、伝送データ量を低減することが可能となる。
【００５１】
また、図５に示すようにフィルタの周波数特性に合わせて量子化ビットを決定することにより、伝送データ量を低減することが可能となる。
【００５２】
［第２の実施の形態］
図６は、本発明の第２の実施の形態の構成例を示す図である。図６に示す例は、図１に示す構成例（第１の実施の形態）と比較して、伝送送信装置１１１内に新たに電力測定回路７を追加した点が異なるものであり、その他の部分の構成は図１と同様である。
【００５３】
上記構成の無線信号伝送装置及び無線装置において、高周波アナログ信号である無線信号は、空中線１において受信され、空中線１の出力信号は、無線信号受信回路５１内の周波数変換回路２においてＡ／Ｄ変換回路３に入力可能な周波数に変換され、周波数変換回路２の出力信号は、Ａ／Ｄ変換回路３においてデジタル信号に変換される。
【００５４】
Ａ／Ｄ変換回路３の出力信号（無線受信信号）は、伝送送信装置１１１内のフレーム化回路４においてＦＦＴ回路５の入力信号に適したフレーム信号に変換される。このとき、フレーム信号の最初の信号は、前フレーム信号の最後から数サンプルの信号を重複することで性能劣化を防止することができる。
【００５５】
フレーム化回路４の出力信号は、ＦＦＴ回路５によりフーリエ変換され、ＦＦＴ回路５の出力信号は、量子化回路６に入力される。量子化回路６は、電力測定回路７においてＦＦＴ回路５の出力信号から無線信号の電力を測定し、ＦＦＴ回路５の出力信号を電力測定回路７の出力信号に応じた量子化間隔で量子化を行う。量子化回路６の出力信号は、伝送処理回路８により伝送データ信号となる。
【００５６】
また、伝送受信装置２１０内の逆量子化回路１２において必要となる周波数成分毎の量子化ビット数及び量子化間隔の情報（量子化情報）は量子化回路６より伝送処理回路８に入力され、伝送データ信号となる。伝送処理回路８の出力信号は、有線伝送路９を通り伝送処理回路１０に入力される。
【００５７】
伝送処理回路１０の出力信号は、伝送受信装置２１０内の逆量子化回路１２において逆量子化され、逆量子化回路１２の出力信号は、ＩＦＦＴ回路１３により逆フーリエ変換され、ＩＦＦＴ回路１３の出力信号は、フレーム解除回路１４によりフレームが解除される。このとき、フレーム信号の最初と最後の数サンプルの信号は歪んでいるため削除するが、伝送送信装置１１１内のフレーム化回路４において信号を重複しているため、信号の欠落は起らない。フレーム解除回路１４の出力信号は、無線変復調回路６０内の復調回路１５において復調され、復調回路１５は受信データ信号を出力する。
【００５８】
一方、デジタル信号である送信データ信号は、無線変復調回路６０内の変調回路２１においてデジタル変調信号に変換され、変調回路２１の出力信号（無線送信信号）は、伝送送信装置２２０内のフレーム化回路２２においてＦＦＴ回路２３の入力信号に適したフレーム信号に変換される。このとき、フレーム信号の最初の信号は、前フレーム信号の最後から数サンプルの信号を重複することで性能劣化を防止することができる。
【００５９】
フレーム化回路２２の出力信号は、ＦＦＴ回路２３によりフーリエ変換され、ＦＦＴ回路２３の出力信号は、量子化回路２４により量子化され、量子化回路２４の出力信号は、伝送処理回路１０により伝送データ信号となる。また、伝送受信装置１２０内の逆量子化回路２６において必要となる周波数成分毎の量子化ビット数の情報（量子化情報）は量子化回路２４より伝送処理回路１０に入力され、伝送データ信号となる。
【００６０】
伝送処理回路１０の出力信号は、有線伝送路２５を通り伝送処理回路８に入力される。伝送処理回路８の出力信号は、伝送受信装置１２０内の逆量子化回路２６において逆量子化され、逆量子化回路２６の出力信号は、ＩＦＦＴ回路２７により逆フーリエ変換され、ＩＦＦＴ回路２７の出力信号は、フレーム解除回路２８によりフレームが解除される。このとき、フレーム信号の最初と最後の数サンプルの信号は歪んでいるため削除するが、フレーム化回路２２において信号を重複しているため、信号の欠落は起らない。
【００６１】
フレーム解除回路２８の出力信号は、無線信号送信回路５２内のＤ／Ａ変換回路２９においてアナログ信号に変換され、Ｄ／Ａ変換回路２９の出力信号は、周波数変換回路３０において高周波無線信号に変換され、周波数変換回路３０の出力信号は、空中線３１により送信される。
【００６２】
図７は、図６（第２の実施の形態）に示す伝送送信装置１１１内のＦＦＴ回路５の入力信号電力を示している。図８は、伝送送信装置１１１内の量子化回路６の量子化間隔を示している。信号電力の小さな無線信号スペクトルＡ（図７）の場合は、図８に示す間隔の狭い量子化間隔Ｑ２（図８）とし、信号電力の大きな無線信号スペクトルＢの場合は、間隔の広い量子化間隔Ｑ１とする。
【００６３】
すなわち、無線信号の受信電力は伝搬路の特性により変動するため、電力測定回路７において測定した無線信号帯域内の電力に合わせて量子化回路６における量子化間隔を決定することにより、無線信号の受信電力によらず一定の品質で量子化を行うことが可能となる。
【００６４】
また、ＦＦＴ回路５の入力信号電力が図９に示すように、２つの信号スペクトルＡ，Ｂの信号であり、この信号を伝送送信装置１１１内の量子化回路６で量子化して送信する場合に、伝送受信装置２１０内の逆量子化回路１２において量子化情報に基づいて周波数軸上での信号の再配置を行なった後に逆量子化を行うことにより、図１０に示すように受信無線信号の搬送波周波数を自由に配置することが可能となる。
【００６５】
また、伝送送信装置２２０内のＦＦＴ回路２３の入力信号電力が図１１に示すような２つの無線信号スペクトルＡ，Ｂである場合、伝送受信装置１２０内の逆量子化回路２６において量子化情報に基づいて周波数軸上での信号の再配置を行なった後に逆量子化を行うことにより、図１２に示すように送信無線信号の搬送波周波数を自由に配置することが可能となる。
【００６６】
［第３の実施の形態］
図１３は、本発明の第３の実施の形態の構成例を示す図である。図１３に示す例は、図１（第１の実施の形態）に示す例と比較して、無線信号伝送装置２００内の伝送受信装置２１１、および無線変復調回路６１の構成が異なるものであり、その他の部分の構成は図１と同様である。
【００６７】
図１３において、伝送受信装置２１１は、伝送処理回路１０、チャネル分離回路１１、逆量子化回路１２、ＩＦＦＴ回路１３、フレーム解除回路１４、逆量子化回路１６、ＩＦＦＴ回路１７、フレーム解除回路１８で構成される。
【００６８】
また、無線変復調回路６１は、復調回路１５、復調回路１９、変調回路２１で構成される。
【００６９】
上記の各部により構成される無線信号伝送装置及び無線装置において、高周波アナログ信号である無線信号は、空中線１において受信され、空中線１の出力信号は、無線信号受信回路５１内の周波数変換回路２においてＡ／Ｄ変換回路３に入力可能な周波数に変換され、周波数変換回路２の出力信号は、Ａ／Ｄ変換回路３においてデジタル信号に変換される。
【００７０】
Ａ／Ｄ変換回路３の出力信号（無線受信信号）は、伝送送信装置１１０内のフレーム化回路４においてＦＦＴ回路５の入力信号に適したフレーム信号に変換される。このとき、フレーム信号の最初の信号は、前フレーム信号の最後から数サンプルの信号を重複することで性能劣化を防止することができる。
【００７１】
フレーム化回路４の出力信号は、ＦＦＴ回路５によりフーリエ変換され、ＦＦＴ回路５の出力信号は、量子化回路６により量子化され、量子化回路６の出力信号は、伝送処理回路８により伝送データ信号となる。また、伝送受信装置２１１内の逆量子化回路１２及び逆量子化回路１６において必要となる周波数成分毎の量子化ビット数の情報は量子化回路６より伝送処理回路８に入力され、伝送データ信号となる。
【００７２】
伝送処理回路８の出力信号は、有線伝送路９を通り伝送処理回路１０に入力される。伝送処理回路１０の出力信号は、伝送受信装置２１１内のチャネル分離回路１１において単一チャネル毎に分離され、チャネル分離回路１１の出力信号は、逆量子化回路１２及び逆量子化回路１６において逆量子化され、逆量子化回路１２及び逆量子化回路１６の出力信号は、ＩＦＦＴ回路１３及び逆ＩＦＦＴ回路１７により逆フーリエ変換され、ＩＦＦＴ回路１３及び逆ＩＦＦＴ回路１７の出力信号は、フレーム解除回路１４及びフレーム解除回路１８によりフレームが解除される。このとき、フレーム信号の最初と最後の数サンプルの信号は歪んでいるため削除するが、伝送送信装置１１０内のフレーム化回路４において信号を重複しているため、信号の欠落は起らない。フレーム解除回路１４及びフレーム解除回路１８の出力信号は、無線変復調回路６１内の復調回路１５及び復調回路１９において復調され、復調回路１５及び復調回路１９は受信データ信号を出力する。
【００７３】
一方、デジタル信号である送信データ信号は無線変復調回路６１内の変調回路２１において、デジタル変調信号に変換され、変調回路２１の出力信号（無線送信信号）は、伝送送信装置２２０内のフレーム化回路２２においてＦＦＴ回路２３の入力信号に適したフレーム信号に変換される。このとき、フレーム信号の最初の信号は、前フレーム信号の最後から数サンプルの信号を重複することで性能劣化を防止することができる。
【００７４】
フレーム化回路２２の出力信号は、ＦＦＴ回路２３によりフーリエ変換され、ＦＦＴ回路２３の出力信号は、量子化回路２４により量子化され、量子化回路２４の出力信号は、伝送処理回路１０により伝送データ信号となる。また、伝送受信装置１２０内の逆量子化回路２６において必要となる周波数成分毎の量子化ビット数の情報は量子化回路２４より伝送処理回路１０に入力され、伝送データ信号となる。
【００７５】
伝送処理回路１０の出力信号は、有線伝送路２５を通り伝送処理回路８に入力される。伝送処理回路８の出力信号は、伝送受信装置１２０内の逆量子化回路２６において逆量子化され、逆量子化回路２６の出力信号は、ＩＦＦＴ回路２７により逆フーリエ変換され、ＩＦＦＴ回路２７の出力信号は、フレーム解除回路２８によりフレームが解除される。このとき、フレーム信号の最初と最後の数サンプルの信号は歪んでいるため削除するが、フ伝送送信装置２２０内のフレーム化回路２２において信号を重複しているため、信号の欠落は起らない。フレーム解除回路２８の出力信号は、無線信号送信回路５２内のＤ／Ａ変換回路２９においてアナログ信号に変換され、 Ｄ／Ａ変換回路２９の出力信号は、周波数変換回路３０において高周波無線信号に変換され、周波数変換回路３０の出力信号は、空中線３１により送信される。
【００７６】
図１４は、図１３に示す伝送送信装置１１０内のＦＦＴ回路５の入力信号電力を示している。図１５は、図１３に示す伝送受信装置２１１内のＩＦＦＴ回路１３及びＩＦＦＴ回路１７の出力信号電力を示している。
【００７７】
図１４に示す２チャネルの無線信号Ａ、Ｂを、チャネル分離回路１１において単一チャネル毎に分離し、図１５に示すように、各搬送波周波数が０となるよう配置することにより、フレーム解除回路１４及びフレーム解除回路１８から各チャネルの直交したベースバンド信号が出力されるため、復調回路１５及び復調回路１９におけるチャネル分離フィルタ回路と直交復調回路が不要となる。
【００７８】
［第４の実施の形態］
図１６は、本発明の第４の実施の形態の構成例を示す図である。図１６に示す例は、図１（第１の実施の形態）に示す例と比較して、無線信号伝送装置２００内の伝送送信装置２２１、および無線変復調回路６２の構成が異なるものであり、その他の部分の構成は図１と同様である。
【００７９】
図１６において、伝送送信装置２２１は、伝送処理回路１０、フレーム化回路２２、ＦＦＴ回路２３、量子化回路２４、フレーム化回路３３、ＦＦＴ回路３４、量子化回路３５で構成される。また、無線変復調回路６２は、復調回路１５、復調回路２１、変調回路３２で構成される。
【００８０】
上記の各部により構成される無線信号伝送装置及び無線装置において、高周波アナログ信号である無線信号は、空中線１において受信され、空中線１の出力信号は、無線信号受信回路５１内の周波数変換回路２においてＡ／Ｄ変換回路３に入力可能な周波数に変換され、周波数変換回路２の出力信号は、Ａ／Ｄ変換回路３においてデジタル信号に変換される。
【００８１】
Ａ／Ｄ変換回路３の出力信号（無線受信信号）は、伝送送信装置１１０内のフレーム化回路４においてＦＦＴ回路５の入力信号に適したフレーム信号に変換される。このとき、フレーム信号の最初の信号は、前フレーム信号の最後から数サンプルの信号を重複することで性能劣化を防止することができる。
【００８２】
フレーム化回路４の出力信号は、ＦＦＴ回路５によりフーリエ変換され、ＦＦＴ回路５の出力信号は、量子化回路６により量子化され、量子化回路６の出力信号は、伝送処理回路８により伝送データ信号となる。また、伝送受信装置２１０内の逆量子化回路１２において必要となる各周波数成分毎の量子化ビット数の情報は量子化回路６より伝送処理回路８に入力され、伝送データ信号となる。
【００８３】
伝送処理回路８の出力信号は、有線伝送路９を通り伝送処理回路１０に入力される。伝送処理回路１０の出力信号は、伝送受信装置２１０内の逆量子化回路１２において逆量子化され、逆量子化回路１２の出力信号は、ＩＦＦＴ回路１３により逆フーリエ変換され、ＩＦＦＴ回路１３の出力信号は、フレーム解除回路１４によりフレームが解除される。このとき、フレーム信号の最初と最後の数サンプルの信号は歪んでいるため削除するが、伝送送信装置１１０内のフレーム化回路４において信号を重複しているため、信号の欠落は起らない。フレーム解除回路１４の出力信号は、無線変復調回路６２内の復調回路１５において復調され、復調回路１５は受信データ信号を出力する。
【００８４】
一方、デジタル信号である送信データ信号は、無線変復調回路６２内の変調回路２１及び変調回路３２において、デジタル変調信号に変換され、変調回路２１及び変調回路３２の出力信号（無線送信信号）は、伝送送信装置２２１内のフレーム化回路２２及びフレーム化回路３３においてＦＦＴ回路２３及びＦＦＴ回路３４の入力信号に適したフレーム信号に変換される。このとき、フレーム信号の最初の信号は、前フレーム信号の最後から数サンプルの信号を重複することで性能劣化を防止することができる。
【００８５】
フレーム化回路２２及びフレーム化回路３３の出力信号は、ＦＦＴ回路２３及びＦＦＴ回路３４によりフーリエ変換され、ＦＦＴ回路２３及びＦＦＴ回路３４の出力信号は、量子化回路２４及び量子化回路３５により量子化され、量子化回路２４及び量子化回路３５の出力信号は、伝送処理回路１０により伝送データ信号となる。また、伝送受信装置１２０内の逆量子化回路２６において必要となる各周波数成分毎の量子化ビット数の情報は、量子化回路２４及び量子化回路３５より伝送処理回路１０に入力され、伝送データ信号となる。
【００８６】
伝送処理回路１０の出力信号は、伝送路２５を通り伝送処理回路８に入力される。伝送処理回路８の出力信号は、伝送受信装置１２０内の逆量子化回路２６において逆量子化され、逆量子化回路２６の出力信号は、ＩＦＦＴ回路２７により逆フーリエ変換され、ＩＦＦＴ回路２７の出力信号は、フレーム解除回路２８によりフレームが解除される。このとき、フレーム信号の最初と最後の数サンプルの信号は歪んでいるため削除するが、伝送送信装置２２１内のフレーム化回路２２およびフレーム化回路３３において信号を重複しているため、信号の欠落は起らない。
【００８７】
フレーム解除回路２８の出力信号は、無線信号送信回路５２内のＤ／Ａ変換回路２９においてアナログ信号に変換され、Ｄ／Ａ変換回路２９の出力信号は、周波数変換回路３０において高周波無線信号に変換され、周波数変換回路３０の出力信号は、空中線３１により送信される。 
【００８８】
図１７は、図１６に示す伝送送信装置２２１内のＦＦＴ回路２３及びＦＦＴ回路３４の入力信号電力を示している。図１８は、図１６に示す伝送受信装置１２０内のＩＦＦＴ回路２７の出力信号電力を示している。
【００８９】
すなわち、伝送送信装置２２１では、図１７に示す２チャネルの信号を、それぞれ量子化し、伝送処理回路１０で多重化して送信する。受信側の伝送受信装置１２０では、伝送送信装置２２１から受信した信号を、量子化回路２６により２チャネルの信号を周波数軸上に再配置して逆量子化を行うと共に、一括して逆フーリエ変換し、フレーム解除回路２８によりデジタル信号を再生する。これにより、無線送信信号を送信する無線変復調回路６２側では、各チャネル毎に変調回路２１、３２を独立させることができる。
【００９０】
以上、本発明の実施の形態について説明したが、本発明の伝送送信装置および伝送受信装置は、上述の図示例にのみ限定されるものではなく、本発明の要旨を逸脱しない範囲内において種々変更を加え得ることは勿論である。
【産業上の利用可能性】
【００９１】
本発明においては、信号の伝送データ量を低減して伝送ネットワークで伝送することができるので、本発明は、伝送ネットワークにおける伝送送信装置、および伝送受信装置等に有用である。
【図面の簡単な説明】
【００９２】
【図１】本発明の第１の実施の形態の構成例を示す図である。
【図２】図１に示す量子化回路６および量子化回路２４の入力信号ビット数の例を示す図である。
【図３】周波数成分毎に量子化ビット数を調整して量子化する第１の例を示す図である。
【図４】周波数成分毎に量子化ビット数を調整して量子化する第２の例を示す図である。
【図５】周波数成分毎に量子化ビット数を調整して量子化する第３の例を示す図である。
【図６】本発明の第２の実施の形態の構成例を示すブロック図である。
【図７】図６に示すＦＦＴ回路５の入力信号電力の例を示す図である。
【図８】図６に示す量子化回路６の量子化間隔の例を示す図である。
【図９】図６に示すＦＦＴ回路５の入力信号電力の他の例を示す図である。
【図１０】図６に示すＩＦＦＴ回路１３の出力信号電力の例を示す図である。
【図１１】図６に示すＦＦＴ回路２３の入力信号電力の例を示す図である。
【図１２】図６に示すＩＦＦＴ回路２７の出力信号電力の例を示す図である。
【図１３】本発明の第３の実施の形態の構成例を示すブロック図である。
【図１４】図１３に示すＦＦＴ回路５の入力信号電力の例を示す図である。
【図１５】図１３に示すＩＦＦＴ回路１３およびＩＦＦＴ回路１７の出力信号電力の例を示す図である。
【図１６】本発明の第４の実施の形態の構成例を示すブロック図である。
【図１７】図１６に示すＦＦＴ回路２３およびＦＦＴ回路３４の入力信号電力の例を示す図である。
【図１８】図１６に示すＩＦＦＴ回路２７の出力信号電力の例を示す図である。
【図１９】従来例の無線信号伝送装置及び無線装置の構成例を示す図である。
【符号の説明】
【００９３】
１…空中線、２…周波数変換回路、３…Ａ／Ｄ変換回路、４…フレーム化回路、
５…ＦＦＴ回路、６…量子化回路、７…電力測定回路、８…伝送処理回路、
９…有線伝送路、１０…伝送処理回路、１１…チャネル分離回路、１２…逆量子化回路、
１３…ＩＦＦＴ回路、１４…フレーム解除回路、１５…復調回路、
１６…逆量子化回路、１７…ＩＦＦＴ回路、１８…フレーム解除回路、
１９…復調回路、２１…変調回路、２２…フレーム化回路、２３…ＦＦＴ回路、
２４…量子化回路、２５…有線伝送路、２６…逆量子化回路、２７…ＩＦＦＴ回路、
２８…フレーム解除回路、２９…Ｄ／Ａ変換回路、３０…周波数変換回路、
３１…空中線、３２…変調回路、３３…フレーム化回路、３４…ＦＦＴ回路、
３５…量子化回路、５０…無線信号送受信回路、６０、６１、６２…無線変復調回路、
１００、２００…無線信号伝送装置、１１０、１１１、２２０、２２１…伝送送信装置、
１２０、２１０、２１１…伝送受信装置
【図１】
2008060980.tif 000003
【図２】
2008060980.tif 000004
【図３】
2008060980.tif 000005
【図４】
2008060980.tif 000006
【図５】
2008060980.tif 000007
【図６】
2008060980.tif 000008
【図７】
2008060980.tif 000009
【図８】
2008060980.tif 000010
【図９】
2008060980.tif 000011
【図１０】
2008060980.tif 000012
【図１１】
2008060980.tif 000013
【図１２】
2008060980.tif 000014
【図１３】
2008060980.tif 000015
【図１４】
2008060980.tif 000016
【図１５】
2008060980.tif 000017
【図１６】
2008060980.tif 000018
【図１７】
2008060980.tif 000019
【図１８】
2008060980.tif 000020
【図１９】
2008060980.tif 000021